(57)【要約】  光干渉断層撮影回転カテーテルは、カテーテル本体（４０）と、カテーテル本体において長手方向軸の周りに回転するチューブ状部材（１０）とを含む。チューブ状部材の内部に沿って光ファイバ（２０）が延在し、これは光ファイバ遠位端を有する。光反射部材（２２）が光ファイバ遠位端より遠位にあり、チューブ状部材と共に長手方向軸の周りに回転する。光反射部材は光反射面を備え、この光反射面は、光ファイバ遠位端から離間されてそれに対面しており、且つ光ファイバからの光を長手方向軸に対して所定の角度で半径方向に反射するよう傾斜している。光反射部材は直径が最大で約０．２５ｍｍである。光反射面は、研磨され、且つ光反射フィルムで被覆される。
2014520655.tif 000002
【特許請求の範囲】
【請求項１】
カテーテル本体と；
前記カテーテル本体に配置されるチューブ状部材であって、前記チューブ状部材が近位端と遠位端との間に延在する中空内部を有し、前記遠位端と前記近位端との間に長手方向軸が長手方向に延在し、前記チューブ状部材が前記長手方向軸の周りに回転自在である、チューブ状部材と；
前記チューブ状部材の前記中空内部に沿って延在する光ファイバであって、前記チューブ状部材の前記遠位端の近傍位置に光ファイバ遠位端を有することにより前記光ファイバ遠位端を通って前記チューブ状部材の前記遠位端に向かう光を誘導する光ファイバと；
前記チューブ状部材の前記中空内部に前記光ファイバ遠位端より遠位に配置された、且つ前記チューブ状部材と共に前記長手方向軸の周りに回転するように構成された光反射部材であって、前記光反射部材が光反射面を備え、前記光反射面は、前記光ファイバ遠位端から離間されてそれに対面しており、且つ前記光ファイバからの光を前記長手方向軸に対して所定の角度で半径方向に反射するように傾斜していて、前記反射光は、前記光反射部材が前記長手方向軸の周りに回転することによって周方向に回転する、光反射部材と；
を含む光干渉断層撮影（ＯＣＴ）回転カテーテルにおいて、
前記光反射部材は直径が最大で約０．２５ｍｍであり、前記光反射面は、研磨され、且つ光反射フィルムで被覆される、ＯＣＴ回転カテーテル。
【請求項２】
前記光反射部材が、金属材料、繊維材料、及びガラス材料からなる群から選択される材料で作製される、請求項１に記載のＯＣＴ回転カテーテル。
【請求項３】
前記光反射部材がステンレス鋼で作製される、請求項１に記載のＯＣＴ回転カテーテル。
【請求項４】
前記光反射フィルムが、アルミニウム、銀、金、及び誘電体被覆材料からなる群から選択される材料を含む、請求項１に記載のＯＣＴ回転カテーテル。
【請求項５】
前記光反射部材及び前記光ファイバ遠位端が、前記チューブ状部材と共に前記長手方向軸の周りに回転するように前記チューブ状部材に取り付けられ；及び
前記チューブ状部材が前記カテーテル本体に対して回転自在であり、前記カテーテル本体が前記チューブ状部材の前記遠位端より遠位にある遠位端を有し、及び前記カテーテル本体の前記遠位端が封止される、請求項１に記載のＯＣＴ回転カテーテル。
【請求項６】
前記チューブ状部材及び前記カテーテルが、少なくとも前記光反射部材の近傍領域で光学的に透明であり、前記光反射面からの反射光がそこを通り抜けることが可能である、請求項１に記載のＯＣＴ回転カテーテル。
【請求項７】
前記光ファイバの遠位端に結合された第１の端部を有し且つ第２の端部を有するビームエキスパンダであって、前記光ファイバのファイバコアから出射する光ビームを前記第１の端部から前記第２の端部に通過させ、前記第１の端部から拡大して前記第２の端部でより大きいビームサイズにすることが可能なビームエキスパンダと；
前記ビームエキスパンダの前記第２の端部に結合される屈折率分布型ファイバレンズであって、前記ビームエキスパンダから前記光ビームを受け取り、前記光ビームを集束させる屈折率分布型ファイバレンズと；
をさらに含む、請求項１に記載のＯＣＴ回転カテーテルにおいて、
前記屈折率分布型ファイバレンズが前記光反射部材より近位にあり、前記光反射面から離間される、ＯＣＴ回転カテーテル。
【請求項８】
前記光ファイバが単一モードファイバであり；及び
前記ビームエキスパンダがコア無しファイバ又はステップインデックス型多モードファイバを含む、請求項７に記載のＯＣＴ回転カテーテル。
【請求項９】
前記屈折率分布型ファイバレンズがガラスクラッド又は空気に取り囲まれたコアを有し、前記コアは、前記屈折率分布型ファイバレンズの軸からの半径方向距離に応じて屈折率が前記クラッドに向かって半径方向外側に低下するように変化し；及び
前記屈折率分布型ファイバレンズの前記コアは、前記ビームエキスパンダの外径以上の直径を有する、請求項７に記載のＯＣＴ回転カテーテル。
【請求項１０】
前記屈折率分布型ファイバレンズは、前記屈折率分布型ファイバレンズの軸からの半径方向距離に応じて屈折率が半径方向外側に低下するように変化し；及び
前記屈折率分布型ファイバレンズは、前記ビームエキスパンダの外径以上の直径を有する、請求項７に記載のＯＣＴ回転カテーテル。
【請求項１１】
前記固定シャフトチューブ状部材が少なくとも前記光反射部材の近傍領域で光学的に透明であり、前記光反射面からの反射光がそこを通り抜けることが可能である、請求項１に記載のＯＣＴ回転カテーテル。
【請求項１２】
前記チューブ状部材が前記カテーテル本体に対して回転自在であり；及び
前記チューブ状部材の外表面と前記カテーテル本体の内表面との間に約０．２５ｍｍ未満の間隙が提供される、請求項１に記載のＯＣＴ回転カテーテル。
【請求項１３】
カテーテル本体にチューブ状部材を置くステップであって、前記チューブ状部材が近位端と遠位端との間に延在する中空内部を有し、前記遠位端と前記近位端との間に長手方向軸が長手方向に延在し、前記チューブ状部材が前記長手方向軸の周りに回転自在である、ステップと；
前記チューブ状部材の前記中空内部に沿って延在する光ファイバであって、前記チューブ状部材の前記遠位端の近傍位置に光ファイバ遠位端を有することにより前記光ファイバ遠位端を通って前記チューブ状部材の前記遠位端に向かう光を誘導する光ファイバを提供するステップと；
直径が最大で約０．２５ｍｍの光反射部材を形成するステップと；
前記長手方向軸の周りに前記チューブ状部材と共に回転するように構成された前記光反射部材を、前記チューブ状部材の前記中空内部に前記光ファイバ遠位端より遠位に位置決めするステップであって、前記光反射部材が光反射面を備え、前記光反射面は、前記光ファイバ遠位端から離間されてそれに対面しており、且つ前記光ファイバからの光を前記長手方向軸に対して所定の角度で半径方向に反射するように傾斜していて、前記反射光は、前記光反射部材が前記長手方向軸の周りに回転することによって周方向に回転する、ステップと
を含む光干渉断層撮影（ＯＣＴ）回転カテーテルの形成方法において、
前記光反射部材を形成するステップが、バンドルの一端に露出した面を有する少なくとも５本の長手部材のバンドルを形成するステップと、前記長手部材；前記バンドルの前記一端における前記長手部材の前記露出した面をまとめて研磨するステップと；前記長手部材の前記研磨した面を光反射フィルムで被覆するステップと；前記バンドルを分離することにより、前記被覆された面を光反射面として有する光反射部材として各長手部材を提供するステップとを含む、方法。
【請求項１４】
前記光反射部材及び前記光ファイバ遠位端を、前記カテーテル本体に対して前記長手方向軸の周りに前記チューブ状部材と共に回転するように前記チューブ状部材に取り付けるステップと；
前記チューブ状部材の前記遠位端より遠位にある前記カテーテル本体の遠位端を封止するステップと
をさらに含む、請求項１３に記載の方法。
【請求項１５】
前記長手部材が、金属材料、繊維材料、及びガラス材料からなる群から選択される材料で作製される、請求項１３に記載の方法。
【請求項１６】
前記長手部材がステンレス鋼で作製され；及び
前記光反射フィルムが、アルミニウム、銀、金、及び誘電体被覆材料からなる群から選択される材料を含む、請求項１３に記載の方法。
【請求項１７】
前記バンドルが少なくとも１００本の長手部材を有する、請求項１３に記載の方法。
【請求項１８】
前記バンドルの前記一端における前記長手部材の前記露出した面が、前記バンドルの長手方向軸に対して所定の角度でまとめて研磨される、請求項１３に記載の方法。
【請求項１９】
光反射面を有する光反射部材を提供する方法であって、
バンドルの一端に露出した面を有する少なくとも５本の長手部材のバンドルを形成するステップと；
前記バンドルの前記一端における前記長手部材の前記露出した面をまとめて研磨するステップと；
前記長手部材の前記研磨した面を光反射フィルムで被覆するステップと；
前記バンドルを分離することにより、前記被覆された面を光反射面として有する光反射部材として各長手部材を提供するステップと
を含む方法。
【請求項２０】
前記長手部材は、各々、直径が最大で約０．２５ｍｍである、請求項１９に記載の方法。
【請求項２１】
前記バンドルが少なくとも１００本の長手部材を有する、請求項１９に記載の方法。
【請求項２２】
前記バンドルの前記一端における前記長手部材の前記露出した面が、前記バンドルの長手方向軸に対して所定の角度でまとめて研磨される、請求項１９に記載の方法。
【発明の詳細な説明】
【技術分野】
【０００１】
発明の背景
[0001]本発明は、概して走査型イメージング装置に関し、より具体的には、光干渉断層撮影法などで用いる高空間分解能回転カテーテルに関する。
【背景技術】
【０００２】
[0002]試料に反射した光が基準ビームと干渉すると、干渉信号の周波数から光が反射された深さが分かる。この技法がイメージングに用いられており、光干渉断層撮影法（ＯＣＴ）として知られる。ＯＣＴは、光散乱媒質（例えば生物組織）内部の超高品質マイクロメータ分解能三次元画像の取得を可能にする光信号取得及び処理方法である。ＯＣＴ並びに他の干渉計型イメージング及びレンジングシステムでは、また他のイメージングモダリティ又は治療用光源の照射にも、走査型イメージングプローブが用いられる。例えば、全体として参照により本明細書に援用される米国特許第６，８９１，９８４号を参照のこと。
【０００３】
[0003]ＯＣＴイメージング用の典型的なファイバ回転プローブは、ファイバＧＲＩＮ（Gradient-Index：屈折率分布型）レンズとマイクロプリズムとを備える。マイクロプリズムを使用する欠点は、出射面が曲面状である点である。この曲面が円柱レンズとして作用し、レーザビーム品質が低下する。焦点は、円形というよりむしろ楕円形である。この問題は、ファイバの曲面を研磨して平面にすれば解決するが、しかし機械加工が極めて難題となり得る。ファイバＧＲＩＮレンズに取り付けられるファイバサイズのマイクロプリズム（例えば、直径約０．１２５ｍｍ）は大量生産に適さないため、高額な機械加工費もさらなる課題である。また、研磨されたマイクロプリズムが完全な内部反射を達成するには、研磨された面を保護するための一種のエアバッグを形成するクリアなチュービングが必要である。別の欠点は、円柱レンズ効果に起因する光学収差のバランスをとるため、プリズムとカテーテルの内側シースとの間の空間を占める流体が必要な点である。例えば、米国特許出願公開第２０１１／０１３７１２４号を参照のこと。そのため、カテーテルの固定部品の遠位端を開放しなければならず、塵埃に汚染され易くなる。
【０００４】
[0004]或いは、ファイバＧＲＩＮレンズとマイクロミラーとを使用したＯＣＴイメージング用のファイバ回転プローブもまた、一般的な設計である。マイクロプリズムの代わりにマイクロミラーを使用する一つの利点は、円柱レンズ効果がないことである。しかしながら、小型のマイクロミラーは市販されておらず、各マイクロミラーを研磨及び被覆して高反射面を提供するための加工費が極めて高いため、高額な加工費は依然として課題である。現在、マイクロミラーは直径約０．５ｍｍである。これまで、直径が最大約０．２５ｍｍのマイクロミラーの作製が成功したことはない。
【発明の概要】
【課題を解決するための手段】
【０００５】
発明の概要
[0005]本発明の例示的実施形態は、光干渉断層撮影法などで用いる高空間分解能回転カテーテルのための装置及び方法を提供する。回転カテーテルは、固定部品に対して回転する回転部品を有する。回転部品の遠位端には、ファイバプローブが配置される光学先端がある。ファイバプローブは、ＧＲＩＮレンズから離間された角度付きマイクロミラーを備える。マイクロミラーは、典型的には約３５°〜４５°の角度の傾斜面を有し、ＧＲＩＮレンズからの長手方向の光を回転部品の長手方向軸から外側へと横方向又は半径方向に反射する。回転部品が回転すると、この反射光ビームが周方向に回転する。マイクロミラーの使用により、光学収差が最小限となる（理論的には収差がなくなる）。結果として、光学収差のバランスをとるための流体が不要となり、従って固定部品の遠位端を封止できるため、血液がファイバプローブの光学窓を塞ぐことを防ぎ、塵埃による血液の汚染を防ぐことができる。さらに、本発明は、複数のマイクロミラーを、より大きい有効横寸法を提供するバンドルとして製造するプロセスを用いる。バンドルは、研磨及び被覆される長手部材を少なくとも５本有する。バンドルは、好ましくは数十本の長手部材を有し、より好ましくは１００本を超える長手部材を有する。この製造プロセスにより、直径が最大で約０．２５ｍｍの、一定の角度で傾斜した高反射率の光反射面を有するマイクロミラーを作製することが可能となる。
【０００６】
[0006]本発明のある態様において、光干渉断層撮影（ＯＣＴ）回転カテーテルは、カテーテル本体と；カテーテル本体に配置されるチューブ状部材であって、チューブ状部材が近位端と遠位端との間に延在する中空内部を有し、遠位端と近位端との間に長手方向軸が長手方向に延在し、チューブ状部材が長手方向軸の周りに回転自在である、チューブ状部材と；チューブ状部材の中空内部に沿って延在する光ファイバであって、チューブ状部材の遠位端の近傍位置に光ファイバ遠位端を有することにより光ファイバ遠位端を通ってチューブ状部材の遠位端に向かう光を誘導する光ファイバと；チューブ状部材の中空内部に光ファイバ遠位端より遠位に配置された、且つチューブ状部材と共に長手方向軸の周りに回転するように構成された光反射部材であって、光反射部材が光反射面を備え、光反射面は、光ファイバ遠位端から離間されてそれに対面しており、且つ光ファイバからの光を長手方向軸に対して所定の角度で半径方向に反射するように傾斜していて、この反射光は、光反射部材が長手方向軸の周りに回転することによって周方向に回転する、光反射部材とを含む。光反射部材は直径が最大で約０．２５ｍｍであり、光反射面は、研磨され、且つ光反射フィルムで被覆される。
【０００７】
[0007]一部の実施形態では、光反射部材は、金属材料、繊維材料、及びガラス材料からなる群から選択される材料で作製される。好ましい一実施形態において、材料はステンレス鋼である。光反射フィルムは、アルミニウム、銀、金、及び誘電体被覆材料からなる群から選択される材料を含む。光反射部材及び光ファイバ遠位端は、チューブ状部材と共に長手方向軸の周りに回転するようにチューブ状部材に取り付けられ；及びチューブ状部材はカテーテル本体に対して回転自在であり、カテーテル本体はチューブ状部材の遠位端より遠位にある遠位端を有し、及びカテーテル本体の遠位端は封止される。チューブ状部材及びカテーテルは少なくとも光反射部材の近傍領域で光学的に透明であり、光反射面からの反射光がそこを通り抜けることが可能である。
【０００８】
[0008]具体的な実施形態において、ＯＣＴ回転カテーテルは、光ファイバの遠位端に結合された第１の端部を有し且つ第２の端部を有するビームエキスパンダであって、光ファイバのファイバコアから出射する光ビームを第１の端部から第２の端部に通過させ、第１の端部から拡大して第２の端部でより大きいビームサイズにすることが可能なビームエキスパンダをさらに備える。屈折率分布型ファイバレンズがビームエキスパンダの第２の端部に結合され、ビームエキスパンダから光ビームを受け取り、その光ビームを集束させる。屈折率分布型ファイバレンズは光反射部材より近位にあり、光反射面から離間される。光ファイバは単一モードファイバであり、ビームエキスパンダはコア無しファイバ又はステップインデックス型多モードファイバを含む。屈折率分布型ファイバレンズはガラスクラッド又は空気に取り囲まれたコアを有し、このコアは、屈折率分布型ファイバレンズの軸からの半径方向距離に応じて屈折率がクラッドに向かって半径方向外側に低下するように変化し、及び屈折率分布型ファイバレンズのコアは、ビームエキスパンダの外径以上の直径を有する。屈折率分布型ファイバレンズは、屈折率分布型ファイバレンズの軸からの半径方向距離に応じて屈折率が半径方向外側に低下するように変化し、及び屈折率分布型ファイバレンズは、ビームエキスパンダの外径以上の直径を有する。
【０００９】
[0009]一部の実施形態では、固定シャフトチューブ状部材は、少なくとも光反射部材の近傍領域で光学的に透明であり、光反射面からの反射光がそこを通り抜けることが可能である。チューブ状部材はカテーテル本体に対して回転自在であり、チューブ状部材の外表面とカテーテル本体の内表面との間に約０．２５ｍｍ未満の間隙が提供される。
【００１０】
[0010]本発明の別の態様は、光干渉断層撮影（ＯＣＴ）回転カテーテルの形成方法に関する。この方法は、カテーテル本体にチューブ状部材を置くステップであって、チューブ状部材が近位端と遠位端との間に延在する中空内部を有し、遠位端と近位端との間に長手方向軸が長手方向に延在し、チューブ状部材が長手方向軸の周りに回転自在である、ステップと；チューブ状部材の中空内部に沿って延在する光ファイバであって、チューブ状部材の遠位端の近傍位置に光ファイバ遠位端を有することにより光ファイバ遠位端を通ってチューブ状部材の遠位端に向かう光を誘導する光ファイバを提供するステップと；直径が最大で約０．２５ｍｍの光反射部材を形成するステップと；チューブ状部材と共に長手方向軸の周りに回転するように構成された光反射部材を、チューブ状部材の中空内部に光ファイバ遠位端より遠位に位置決めするステップであって、光反射部材が光反射面を備え、光反射面は、光ファイバ遠位端から離間されてそれに対面しており、且つ光ファイバからの光を長手方向軸に対して所定の角度で半径方向に反射するように傾斜していて、この反射光は、光反射部材が長手方向軸の周りに回転することによって周方向に回転する、ステップとを含む。光反射部材を形成するステップは、バンドルの一端に露出した面を有する少なくとも５本の長手部材のバンドルを形成するステップと、これらの長手部材；バンドルの一端における長手部材の露出した面をまとめて研磨するステップと；長手部材の研磨した面を光反射フィルムで被覆するステップと；バンドルを分離することにより、被覆された面を光反射面として有する光反射部材として各長手部材を提供するステップとを含む。
【００１１】
[0011]一部の実施形態では、この方法は、光反射部材及び光ファイバ遠位端を、カテーテル本体に対して長手方向軸の周りにチューブ状部材と共に回転するようにチューブ状部材に取り付けるステップと、チューブ状部材の遠位端より遠位にあるカテーテル本体の遠位端を封止するステップとをさらに含む。
【００１２】
[0012]この発明の別の態様は、光反射面を有する光反射部材を提供する方法に関する。この方法は、バンドルの一端に露出した面を有する少なくとも５本の長手部材のバンドルを形成するステップと、これらの長手部材；バンドルの一端における長手部材の露出した面をまとめて研磨するステップと；長手部材の研磨した面を光反射フィルムで被覆するステップと；バンドルを分離することにより、被覆された面を光反射面として有する光反射部材として各長手部材を提供するステップとを含む。
【００１３】
[0013]一部の実施形態では、長手部材は、各々、直径が最大で約０．２５ｍｍである。バンドルは少なくとも１００本の長手部材を有する。
【００１４】
[0014]以下の具体的な実施形態の詳細な説明に鑑みて、本発明のこれらの及び他の特徴及び利点が当業者に明らかとなるであろう。
【図面の簡単な説明】
【００１５】
【図１Ａ】本発明の実施形態に係る回転カテーテルの回転部品の概略図である。
【図１Ｂ】図１Ａの回転カテーテルの回転部品の別の概略図である。
【図１Ｃ】本発明の実施形態に係る回転カテーテルの固定部品の概略図である。
【図１Ｄ】回転カテーテルのファイバコネクタ組立体の斜視図である。
【図２Ａ】本発明の実施形態に係る回転カテーテルの構成要素としてのファイバプローブの概略立面図である。
【図２Ｂ】図２Ａのファイバプローブの部分断面図である。
【図３Ａ】図２Ａのファイバプローブの構成要素としての角度付きマイクロミラーの立面図である。
【図３Ｂ】本発明の実施形態に係る製造プロセスにおいて研磨され、高反射率フィルムで被覆されるマイクロミラーのバンドルの立面図である。
【図４】本発明の実施形態に係るマイクロミラーの製造プロセスを示すフロー図の一例である。
【図５】ＧＲＩＮファイバに沿った光線伝播の光学概略図を示し、周期的ビーム集束が示される。
【図６】ＧＲＩＮファイバに沿った光線伝播の光学概略図を示し、回折を無視できる場合、４分の１周期長でビームがコリメートされて平行ビームになり得ることが示される。
【図７】単一モードファイバにスプライシングされたＧＲＩＮファイバの焦点距離及びＧＲＩＮファイバと単一モードファイバとの間にスプライシングされたビームエキスパンダとしてのコア無しファイバを有するファイバＧＲＩＮレンズの焦点距離の実験結果を示す表である。
【図８】光ファイバ装置の一例の概略図であり、ここで光ファイバの端部に配置されるビームエキスパンダとしてのコア無しファイバ及びＧＲＩＮレンズの寸法は、一定の長焦点距離を達成するように選択される。
【図９】光ファイバ装置の別の例の概略図であり、ここで光ファイバの端部に配置されるビームエキスパンダとしてのコア無しファイバ及びＧＲＩＮレンズの寸法は、異なる長焦点距離を達成するように選択される。
【発明を実施するための形態】
【００１６】
発明の詳細な説明
[0029]以下の発明の詳細な説明では、本開示の一部をなす添付の図面が参照され、それらの図面において、本発明を実施し得る例示的実施形態が、限定ではなく、例示として示される。図面では、類似した符号がいくつかの図にわたり実質的に同様の構成要素を示す。さらに、この詳細な説明は、以下に記載するとおり、且つ図面に例示するとおり、様々な例示的実施形態を提供するものの、本発明は本明細書に記載及び例示される実施形態に限定されるものではなく、当業者に公知であろうとおり、又は当業者に公知となるであろうとおり、他の実施形態に拡張され得ることに留意しなければならない。本明細書において「一実施形態」、「この実施形態」、又は「これらの実施形態」と言及するのは、その実施形態に関連して記載される特定の特徴、構造、又は特性が本発明の少なくとも一つの実施形態に包含されることを意味し、本明細書の各所にこれらの語句が出現するからといって、必ずしも全てが同じ実施形態を指すわけではない。加えて、以下の詳細な説明では、本発明の十分な理解を提供するため、数多くの具体的な詳細が示される。しかしながら、当業者には、本発明の実施にこれらの具体的な詳細が全て必要なわけではないことは明らかであろう。他の状況では、本発明が不必要に曖昧となることがないように、周知されている構造、材料、回路、プロセス及びインタフェースについては詳細には記載しておらず、及び／又はブロック図の形式で示すこともある。
【００１７】
[0030]以下の説明では、相対的な向き及び位置の用語、例えば水平、垂直、左、右、上及び下といった用語が用いられる。これらの用語は、二次元配置における、その配置の所与の向きに対する相対的な方向及び位置を指すことは理解されるであろう。配置の異なる向きについては、同じ物体又は操作が、異なる相対的な向き及び位置の用語を用いて記載され得る。
【００１８】
[0031]本発明の例示的実施形態は、以下にさらに詳細に記載するとおり、光干渉断層撮影法などで用いる高空間分解能回転カテーテルのための装置及び方法を提供する。
【００１９】
[0032]１．回転カテーテル組立体
[0033]図１Ａは、本発明の実施形態に係る回転カテーテルの回転部品の概略図である。回転部品１０は、ファイバコネクタ１２に結合された近位端を有する。回転部品１０の近位部分は、好ましくはニチノールなどの直線状の可撓性材料で作製されるチュービング１４である。回転部品１０の遠位部分はトルクコイル１６である。近位チュービング１４はファイバコネクタ１２及びトルクコイル１６に接着されるか、レーザ溶接されるか、又は他の方法で固着され得る。回転部品１０の遠位端には光学先端１８があり、そこにファイバプローブ２０が配置される。ファイバプローブ２０は、ＧＲＩＮレンズ２４から離間された角度付きマイクロミラー２２を備える。以下にさらに詳細に記載するとおり、ファイバコネクタ１２から延在する光ファイバによって出射される光ビームはＧＲＩＮレンズ２４を用いて集束され、ここで光ファイバの端末とＧＲＩＮレンズ２４との間のビームエキスパンダの助けにより、ＧＲＩＮレンズ単独の焦点距離（例えば、約１．８〜２．０ｍｍの焦点距離）と比べて実質的に長い焦点距離が達成される。マイクロミラー２２は、典型的には約３５°〜４５°の角度の傾斜面を有し、ＧＲＩＮレンズ２４からの長手方向の光を回転部品１０の長手方向軸から外側へと横方向又は半径方向に反射する。回転部品１０が回転すると、この反射光ビームが周方向に回転する。図１Ａに示される具体的な実施形態では、光学先端１８は、光学窓を提供するクリアなチュービング部分３４を備えたステンレス鋼回転チュービング３２を有する。この光学窓は光学的に透明であり、マイクロミラー２２に反射した光ビームがそこを通り抜けて標的組織に至り、マイクロミラー２２を経て単一モードファイバに戻ることを可能にする。
【００２０】
[0034]図１Ｂは、図１Ａの回転カテーテルの回転部品１０の別の概略図である。ファイバコネクタ１２は回転コネクタハウジング３８の中に装着される。回転ハウジング３８は、長手方向軸の周りに回転する回転部品１０の一構成要素である。
【００２１】
[0035]図１Ｃは、本発明の実施形態に係る回転カテーテルの固定部品の概略図である。固定シャフト４０は、固定コネクタハウジング４２と、大直径の近位チュービング４４と、長い遠位チュービング４６とを備える。遠位チュービング４６は、好ましくは光学的に透明であるため光がそこを通り抜けることができ、ＦＥＰ（フッ化エチレンプロピレン）などで作製され得る。回転コネクタハウジング３８が固定コネクタハウジング４２の内側にあり、回転部品の近位チュービング１４が固定部品の近位チュービング４４の内側にあり、且つトルクコイル１６が透明な遠位チュービング４６の内側にあるようにして、回転部品１０が固定部品４０の内側に装着される。概して、回転部品１０と固定部品４０との対応する構成要素間に小さい間隙（例えば約０．２５ｍｍ未満）が提供され、これにより回転部品１０が固定部品４０に対して長手方向軸の周りに回転することが可能となる。固定部品４０の遠位端４８は、回転部品１０の光学先端１８の近傍に位置して、且つそれより遠位にあり、好ましくは封止されることで、血液がクリアなチュービング部分３４の光学窓を塞ぐことを防ぎ、塵埃による血液の汚染を防ぐ。固定部品４０の封止された遠位端４８と回転部品１０の遠位先端１８との間には、約２５ｍｍ以下の間隙がある。
【００２２】
[0036]図１Ｄは、回転カテーテルのファイバコネクタ組立体の斜視図である。上述のとおり、回転部品１０が固定部品４０の内側に挿入される。回転コネクタハウジング３８が固定コネクタハウジング４２の内側にある。回転コネクタハウジング３８はファイバコネクタ１２に取り付けられ、これらは共に回転する。回転コネクタハウジング３８と固定コネクタハウジング４２との間には、小さい隙間がある。
【００２３】
[0037]図２Ａは、本発明の実施形態に係る回転カテーテルの構成要素としてのファイバプローブの概略立面図である。図２Ｂは、図２Ａのファイバプローブの部分断面図である。図１Ａに関連して上記に考察したとおり、ファイバプローブ２０は回転部品１０の光学先端１８に配置される。ファイバコネクタ１２から延在する光ファイバ５０によって出射される光ビームはＧＲＩＮレンズ２４を用いて集束され、ここで光ファイバ５０の端末とＧＲＩＮレンズ２４と間のビームエキスパンダ５４の助けにより、マイクロミラー２２に向かう実質的な焦点距離が達成される。一般に、ＧＲＩＮレンズ２４は、ＧＲＩＮレンズ２４の軸からの半径方向距離に応じて屈折率が半径方向外側に低下するように変化し、及びビームエキスパンダ５４の外径以上の直径を有する。図示される実施形態では、ＧＲＩＮレンズ２４はガラスクラッド又は空気に取り囲まれたコアを有し、このコアは、ＧＲＩＮレンズ２４の軸からの半径方向距離に応じて屈折率がクラッドに向かって半径方向外側に低下するように変化する。ＧＲＩＮレンズ２４のコアは、ビームエキスパンダ５４の外径以上の直径を有する。ビームエキスパンダ５４は、光ファイバ５０の遠位端に結合される第１の端部を有し且つ第２の端部を有して、光ファイバ５０のファイバコアから出射される光ビームを第１の端部から第２の端部に通過させ、第１の端部から拡大して第２の端部でより大きいビームサイズにすることが可能である。具体的な実施形態において、ビームエキスパンダ５４はコア無しファイバ又はステップインデックス型多モードファイバ（ＳＩ−ＭＭＦ）を含む。図２Ｂでは、マイクロミラー２２は３５°〜４５°の傾斜面を有し、ＧＲＩＮレンズ２４からの長手方向の光を回転部品１０の長手方向軸から外側へと横方向又は半径方向に反射する。回転部品１０が回転すると、この反射光ビームが周方向に回転する。光学先端１８は、好ましくは丸い遠位端６０を有して回転摩擦を低減する。ファイバプローブ２０の作製及び構成についてのさらなる詳細は、以下に記載する。
【００２４】
[0038]光ファイバ５０は、接着剤５６、レーザ溶接などによってトルクコイル１６の遠位端部分に取り付けられる。１つ以上の開口又は窓５８を用いて接着剤５６が塗布される。ファイバプローブ２０の構成要素（マイクロミラー２２及びＧＲＩＮレンズ２４）は、接着剤６２などによってステンレス鋼チュービング３２に取り付けられる。１つ以上の開口又は窓６４を用いて接着剤６２が塗布される。マイクロミラー２２に反射した光ビームを出射させるため、一つの光学窓６６が提供される。回転チュービング３２は、具体的な実施形態において約５ｍｍの長さを有し、他の何らかの金属又はファイバプローブ２０の構成要素を支持するのに十分に強力な材料で作製され得る。マイクロミラー２２に反射した光ビームが通り抜けることのできるクリアなチュービング部分３４を提供する一つの方法は、全ての開口又は窓５８、６４、６６にわたって薄いクリアな熱収縮チュービングの部分片を使用することである。
【００２５】
[0039]２．マイクロミラー
[0040]図３Ａは、図２Ａのファイバプローブの構成要素としての角度付きマイクロミラーの立面図である。マイクロミラー２２は光反射部材であり、金属材料、繊維材料、又はガラス材料などの様々な材料で作製することができる。好ましい一実施形態において、材料はステンレス鋼である。傾斜した光反射面は研磨されて光反射フィルムで被覆され、光反射フィルムは、好ましくは高反射性である。例としては、アルミニウム、銀、及び金が挙げられる。可能な代替的反射性被覆としては、フッ化マグネシウム、フッ化カルシウム、酸化アルミニウム、二酸化ケイ素、及び二酸化チタンなどの誘電体被覆が挙げられる。マイクロミラー２２は、典型的には平均長さが約０．５〜１ｍｍ及び直径が約０．１〜０．２ｍｍである。この平均長さは、長手方向軸に沿った長さである；光反射面が傾斜しているため、実際の長さは長手方向軸から半径方向に変化する。マイクロミラー２２の長手方向寸法は横寸法より実質的に大きい（例えば、約２．５〜１０の比）。
【００２６】
[0041]図３Ｂは、本発明の実施形態に係る製造プロセスにおいて研磨され、且つ高反射率フィルムで被覆されたマイクロミラーのバンドルの立面図である。マイクロミラー２２は小型であり（直径約０．２５ｍｍ未満、典型的には直径約０．１〜０．２ｍｍ）、且つ長手方向寸法と比べて横寸法が小さいため、個々のマイクロミラーを研磨及び被覆して製造することは困難である。この発明の態様に係る解決法は、複数のマイクロミラーを、より大きい有効横寸法を提供するバンドルとして製造することである。バンドルが、研磨及び被覆される長手部材又は円筒形部材を少なくとも５本有することが、決定的に重要である。バンドルは、好ましくは数十本の長手部材を有し、より好ましくは１００本を超える長手部材を有する。長手部材は、典型的には長さ約２５ｍｍであり、バンドル端部の研磨及び被覆が完了した後、加工されたバンドル端部で約０．５〜１ｍｍの平均長さに切断される。
【００２７】
[0042]図４は、本発明の実施形態に係るマイクロミラーの製造プロセスを示すフロー図の例である。ステップ４０２では、少なくとも５本の長手部材のバンドルが形成される。バンドルの一端に露出した面を有する長手部材。長手部材の例としては、ステンレス鋼線、ガラスロッド、及びポリイミド繊維が挙げられる。バンドルを形成するため、熱収縮チュービングなどを用いて長手部材をくるむことができる。加えて、長手部材を一時的に互いに接着又はその他固着してもよく、互いに動かないようにすることで、マイクロミラーに適切な角度をなす反射面を作り出す効果的な研磨及び被覆を確実にしてもよい。ステップ４０４は、バンドルの一端における長手部材の露出した面をまとめて研磨する。この研磨は、長手部材の各々に角度がついた共通の面が生じるように、バンドルの長手方向軸に対して所定の角度で行われる。研磨は固体のサンドペーパー及び／又は液体の磨き剤で実施し得る。具体的な実施形態では、研磨は初めに約４０μｍ〜約１μｍの範囲の種々の粒度の固体のサンドペーパーで行われ、続いて約０．１μｍ以下の粒度の液体の磨き剤で行われる。ステップ４０６では、長手部材の研磨された面が光反射フィルムで被覆される。ステップ４０８では、バンドルが分離されて、研磨及び被覆された端部で所望の長さに切断され、これにより、被覆された面を光反射面として有する光反射部材として、切断された各長手部材が提供される。
【００２８】
[0043]本発明者らは、１３０本のステンレス鋼線のバンドルを使用してこの方法を利用し、研磨及び被覆によりマイクロミラーを作製した。マイクロミラーの直径は約０．１〜０．２ｍｍであり、平均長さは約０．５〜１ｍｍである。１３０本の長手部材のバンドルについて、バンドル直径は約３〜４ｍｍである。バンドルあたりの長手部材の本数は、数百本又は数千本まで増加させることができる。１０，０００本のワイヤのバンドルでは、全体のバンドルサイズは直径約２５ｍｍである。この技法は効果的であり、マイクロミラーの作製費を劇的に削減する。銀被覆マイクロミラーの反射率は、１３０本のマイクロミラーのバンドルについて１３１０ｎｍ波長域で約９６％であり、ラウンドトリップの０．３５ｄＢの損失に対応する。この反射率は、金被覆で約９８〜９９％に改善することができる。マイクロミラーあたりの製造費は従来の方法と比べて実質的に低下する。このコストの低さから、この製造プロセスは商業的に妥当である。ＯＣＴ回転プローブの作製にこの銀被覆ステンレス鋼マイクロミラーを用いることにより、光学収差、特に円柱レンズ効果が最小限に抑えられているため、空間分解能が向上した、極めて良好なイメージングが実現する。
【００２９】
[0044]ＯＣＴ回転カテーテル用のＯＣＴ回転プローブ２０の組み立てにおいて、ファイバＧＲＩＮレンズ２４及びマイクロミラー２２は、それらを回転チュービング３２内に組み立てることができるほど十分に小さいサイズである。ＯＣＴ回転カテーテルはフラッシュ又は潤滑剤を用いる必要がなく、従って塵埃が患者の血流中に出てくることがないため、安全性が確保される。回転プローブ２０は患者の血流から隔離されているため、再利用可能であり得る。回転プローブ２０の別の特徴は、以下に記載するとおり、ＧＲＩＮレンズ２４及びビームエキスパンダ５４が光ファイバ５０と共に長焦点距離を作り出すように構成されることである。
【００３０】
[0045]３．屈折率分布型（ＧＲＩＮ）レンズ
[0046]図５は、ＧＲＩＮファイバに沿った光線伝播の光学概略図を示し、周期的ビーム集束が示される。図６は、ＧＲＩＮファイバに沿って伝播する光線の光学概略図を示し、回折を無視できる場合、４分の１又は４分の３周期長でビームがコリメートされて平行ビームになり得ることが示される。入射ビームが点サイズである場合、長さ
【数１】
2014520655.tif 000003
が、ビームをコリメートするのに理論上最良のＧＲＩＮレンズの長さである（式中、ｋ＝０，１，２，．．．である。ΛはＧＲＩＮファイバの周期である）。実際の入射ビームは点源ではなく有意なビーム直径を有するため、ファイバＧＲＩＮレンズに用いる実際の長さは４分の１周期より短くなる。周期（Λ）は入射角に関係するため、ｋが大きいと集束性能が著しく低下することは、注記に値する。入射ビームのサイズがＧＲＩＮファイバの直径に近い場合、シミュレーション及び実験から、用いるＧＲＩＮファイバの長さは４分の１周期長（ｋ＝０）より大幅に短くなることが示されている。
【００３１】
[0047]ＧＲＩＮファイバの屈折率プロファイルは、通常、以下のように表される
【数２】
2014520655.tif 000004
【００３２】
[0048]式中、ａ、ｎ１，ｇｒｉｎ及びｎ２，ｇｒｉｎ  は、それぞれファイバの半径、コア及びクラッドの屈折率である。０≦ρ≦ａが光跡の半径となる。パラメータΔは、以下のように表される
【数３】
2014520655.tif 000005
【００３３】
[0049]式中、ＮＡｇｒｉｎはＧＲＩＮファイバの開口数である。ＧＲＩＮファイバのコアに光がθ０の角度で入射するとき、この光は最大半径で曲がり（θ＝０）、光差は以下のように表される
【数４】
2014520655.tif 000006
【００３４】
[0050]一般に、軸位置（ｚ）に対して角度θで入射する光の半径は、以下のように表すことができる
【数５】
2014520655.tif 000007
【００３５】
[0051]式中、−θ０≦θ≦θ０は入射角の範囲を示す。明らかに、式（４）は、ＧＲＩＮファイバが入射ビームを周期的に集束させ得ることを示している。この周期は、以下のように表される
【数６】
2014520655.tif 000008
【００３６】
[0052]周期は入射角に関係するため、ＧＲＩＮファイバの長さが以下のＬｍａｘ
【数７】
2014520655.tif 000009
より長い場合、平均化（−θ０≦θ≦θ０）により自己集束効果は消失する
【００３７】
[0053]ＤＧＲＩＮ＝１００μｍ、θ０＝８°、ＮＡｇｒｉｎ＝０．２９、ｎ１，ｇｒｉｎ＝１．４７の典型的なパラメータでは、式（６）からＬｍａｘ  は約１６０ｍｍとなる。入射角に対するガウスプロファイル出力分布を考えると、現実の最大長さはこの値より僅かに長い。
【００３８】
[0054]以下のとき
【数８】
2014520655.tif 000010
最大半径が式（４）から以下のとおり求められる
【数９】
2014520655.tif 000011
【００３９】
[0055]式（７）は、式（３）により与えられる値と一致する。ファイバ直径Ｄｃｏｒｅを考えると、且つステップインデックス型単一モードファイバである単一モードファイバのファイバコアから出射される光ビームの反射方程式を、式（７）と併せて用いると、このとき最大直径Ｄｍａｘ＝２ρｍａｘ＋Ｄｃｏｒｅは、以下のとおり求められる
【数１０】
2014520655.tif 000012
【００４０】
[0056]式中、ＤｇｒｉｎはＧＲＩＮファイバコア直径である。単一モードファイバのファイバコアから出射される光ビームの反射方程式を、式（８）と併せて用いると、ビームエキスパンダの無いＧＲＩＮレンズの焦点距離は、以下のとおり求められる
【数１１】
2014520655.tif 000013
【００４１】
[0057]図７は、単一モードファイバにスプライシングされたＧＲＩＮファイバの焦点距離、及びＧＲＩＮファイバと単一モードファイバとの間にスプライシングされたビームエキスパンダを有するファイバＧＲＩＮレンズの焦点距離の実験結果を示す表である。ＮＡ＝０．０９、ＮＡｇｒｉｎ＝０．２９、ｎ１，ｇｒｉｎ＝１．４８７、Ｄｇｒｉｎ＝１００μｍのパラメータのファイバについて、単一モードファイバがファイバＧＲＩＮレンズにスプライシングされる場合の最大ビーム直径は、約４０μｍである。焦点距離は式（９）から０．３８ｍｍと求められ、これは、実験で最も長い焦点距離が常に約０．３５ｍｍである理由を説明するものである。実験はまた、僅かに大きいＮＡの単一モードファイバについて焦点距離が僅かに長いことも示しており、これは式（９）と一致する。長焦点距離を得るための効果的な方法は、単一モードファイバとＧＲＩＮファイバとの間に自由空間としてビームエキスパンダ（例えば、ＮＣＦ又はＳＩ−ＭＭＦ）の小さい部分片をスプライシングしてビーム直径を拡大することである。
【００４２】
[0058]図８は、光ファイバ装置の一例の概略図であり、ここで光ファイバの端部に配置されるコア無しファイバ及びＧＲＩＮレンズの寸法は、一定の長焦点距離を達成するように選択される。図９は、光ファイバ装置の別の例の概略図であり、ここで光ファイバの端部に配置されるコア無しファイバ及びＧＲＩＮレンズの寸法は、異なる長焦点距離を達成するように選択される。図９は０．１ｍｍコア及び０．１４ｍｍ外径クラッドを有するファイバＧＲＩＮレンズを示すが、ファイバＧＲＩＮレンズは、例えば０．１２５ｍｍ外径コア及びクラッド無しを含め、他の構成及び寸法を有し得ることに留意されたい。図９の構成では、コア無しファイバの長さＬＮＣＦは０．６５ｍｍであり、ＧＲＩＮファイバの長さは０．１７ｍｍである。これにより、１．７６ｍｍに等しい長焦点距離の実験結果がもたらされる。図８の構成では、コア無しファイバの長さは０．６５ｍｍではなく、０．３ｍｍであり、一方、ＧＲＩＮファイバの長さは０．１７ｍｍではなく、０．２６ｍｍである。図８の構成で計測される焦点距離は０．６２ｍｍであり、これは図９の構成の焦点距離１．７６ｍｍより短く、なぜなら図８のより短いコア無しファイバのビーム直径がより小さいためである。コア無しファイバの長さ及びＧＲＩＮファイバ及びコア無しファイバの直径が二倍になれば、理論上の焦点距離は４倍増加し、数ミリメートルの長さとなり得る。大きい寸法のファイバには、通常のものでなく、特別に設計された融着接続機を用いる必要があり得る。ＳＭＦ、ＮＣＦ、及びＧＲＩＮレンズのさらなる詳細は、全体として参照により本明細書に援用される２０１０年７月２日に出願された米国特許出願第１２／８２９，７８７号に見出すことができる。
【００４３】
[0059]本記載においては、本発明の十分な理解を提供するための説明を目的として、数多くの詳細が示される。しかしながら、当業者には、本発明を実施するためにこれらの具体的な詳細の全てが必要なわけではないことは明らかであろう。加えて、本明細書には具体的な実施形態が例示及び記載されているが、当業者は、開示される具体的な実施形態に代えて、同じ目的を達成するように計算された任意の構成を用い得ることを理解する。この開示は、本発明のあらゆる適応又は変形を網羅することが意図され、以下の特許請求の範囲において用いられる用語が、本明細書に開示される具体的な実施形態に本発明を限定するものと解釈されてはならないことが理解されるべきである。むしろ本発明の範囲は、完全に、特許請求の範囲の権利範囲にある均等物の全範囲と共に、クレーム解釈の確立された原則に従い解釈されるべき以下の特許請求の範囲によって定められるべきである。
【図１Ａ】
2014520655.tif 000014
【図１Ｂ】
2014520655.tif 000015
【図１Ｃ】
2014520655.tif 000016
【図１Ｄ】
2014520655.tif 000017
【図２Ａ】
2014520655.tif 000018
【図２Ｂ】
2014520655.tif 000019
【図３Ａ】
2014520655.tif 000020
【図３Ｂ】
2014520655.tif 000021
【図４】
2014520655.tif 000022
【図５】
2014520655.tif 000023
【図６】
2014520655.tif 000024
【図７】
2014520655.tif 000025
【図８】
2014520655.tif 000026
【図９】
2014520655.tif 000027
【国際調査報告】
2014520655.tif 000028